(57)【特許請求の範囲】
【請求項１】
筐体の内部に収納されたプロジェクタユニットと、
前記筐体の内面に対して熱を伝達可能に配置された、前記プロジェクタユニットの投映用光源と、
前記筐体の内面における温度を検出する温度検出部と、
前記温度検出部により前記内面の温度が目標温度以上であることが検出された場合に、温度制御を行う温度制御部と、
前記温度検出部により前記内面の温度が前記目標温度より高い温度である上限温度以上であることが検出された場合に、電源をオフする電源制御部と、
前記プロジェクタユニットへ電力を供給するための電池の電圧を検出する電池電圧検出部と、
前記電池電圧検出部により検出された電圧が所定の電圧の値以下の場合、前記投映用光源に供給する電流値を予め設定された第１電流値へ切替える電流値制御部とを備え、
前記温度制御部は、前記温度検出部により前記内面の温度が目標温度以上であることが検出された場合、前記電流値制御部によって、前記内面の温度に基づいて第２電流値へ切替えることで前記温度制御を行うことを特徴とする電子機器。
【請求項２】
前記第２電流値は、前記第１電流値以上の電流値である
ことを特徴とする請求項１記載の電子機器。
【請求項３】
前記温度検出部は、前記筐体の内面に密着して配置されることを特徴とする請求項１または請求項２記載の電子機器。
【請求項４】
前記筐体は、前カバー及び後カバーを備え、
前記投映用光源からの熱は、前記前カバーに伝達されることを特徴とする請求項１〜３の何れか一項に記載の電子機器。
【請求項５】
前記温度検出部は、前記投映用光源の近傍に配置されていることを特徴とする請求項１〜４の何れか一項に記載の電子機器。
【請求項６】
前記投映用光源に供給される電流値が前記第１電流値である場合に、前記温度制御部による制御は行わず、前記電源制御部による制御のみを行うことを特徴とする請求項１〜５の何れか一項に記載の電子機器。
【請求項７】
前記筐体の内面における温度を検出するサーミスタと、
前記温度検出部が異常か否かを判別する判別部とを備え、
前記電源制御部は、前記判別部により前記温度検出部が異常であると判別された場合に、前記サーミスタにより検出された温度が、前記目標温度より高いサーミスタ上限温度以上の場合に、電源をオフすることを特徴とする請求項１〜６の何れか一項に記載の電子機器。
【請求項８】
前記判別部は、更に前記サーミスタが異常か否かを判別し、
前記電源制御部は、前記判別部により前記温度検出部及び前記サーミスタが異常であると判別された場合に、電源をオフすることを特徴とする請求項７記載の電子機器。
【請求項９】
前記電源制御部は、電池の残量低下により電源をオフする場合に、警告のメッセージを出力することを特徴とする請求項１〜８の何れか一項に記載の電子機器。
【請求項１０】
撮像機能を有することを特徴とする請求項１〜９の何れか一項に記載の電子機器。
【請求項１１】
省エネモードに設定されているか否かを判別するモード判別部とを備え、
前記電流値制御部は、前記モード判別部によって省エネモードに設定されていると判別した場合、前記投映用光源に供給される電流値を前記第１電流値に制御することを特徴とする請求項１〜１０の何れか一項に記載の電子機器。
【発明の詳細な説明】
【技術分野】
【０００１】
本発明は、電子機器に関するものである。
【背景技術】
【０００２】
従来、プロジェクタユニットを備える撮像装置に関し、画像の投影時において光源の発熱による装置内の温度上昇を防止するために、冷却ファンにより装置外へ排熱する技術が存在する (例えば、特許文献１参照)。
【先行技術文献】
【特許文献】
【０００３】
【特許文献１】特開２００７−２７１９１１号公報
【発明の概要】
【発明が解決しようとする課題】
【０００４】
しかしながら、冷却ファンによる放熱対策だけは十分でない場合があり、筐体内の各部の機能に影響を及ぼすおそれがある。
【０００５】
本発明の目的は、筐体内の各部の機能の信頼性を確保すべく、筐体内の温度上昇を抑えることができる電子機器を提供することである。
【課題を解決するための手段】
【０００６】
本発明の電子機器は、筐体の内部に収納されたプロジェクタユニットと、前記筐体の内面に対して熱を伝達可能に配置された、前記プロジェクタユニットの投映用光源と、前記筐体の内面における温度を検出する温度検出部と、前記温度検出部により前記内面の温度が目標温度以上であることが検出された場合に、温度制御を行う温度制御部と、前記温度検出部により前記内面の温度が前記目標温度より高い温度である上限温度以上であることが検出された場合に、電源をオフする電源制御部と、前記プロジェクタユニットへ電力を供給するための電池の電圧を検出する電池電圧検出部と、前記電池電圧検出部により検出された電圧が所定の電圧の値以下の場合、前記投映用光源に供給する電流値を予め設定された第１電流値へ切替える電流値制御部とを備え、前記温度制御部は、前記温度検出部により前記内面の温度が目標温度以上であることが検出された場合、前記電流値制御部によって、前記内面の温度に基づいて第２電流値へ切替えることで前記温度制御を行うことを特徴とする。
【発明の効果】
【０００７】
本発明の電子機器によれば、筐体内の温度上昇を抑えることができる。
【図面の簡単な説明】
【０００８】
【図１】実施の形態に係るカメラの外観を示す斜視図である。
【図２】実施の形態に係るカメラの背面図である。
【図３】実施の形態に係る筐体内の各ユニットの配置位置を示す概略図である。
【図４】実施の形態に係るカメラのＡ−Ａ断面図である。
【図５】実施の形態に係るカメラのシステム構成図である。
【図６】実施の形態に係るカメラの投映処理を示すフローチャートである。
【図７】実施の形態に係るカメラにおいてサーミスタを用いた電源制御処理を示すフローチャートである。
【発明を実施するための形態】
【０００９】
以下、本発明の実施の形態に係る電子機器について、プロジェクタ機能を有するカメラを例として説明する。図１は、実施の形態に係るカメラの外観を示す斜視図である。カメラ２の筐体３は、アルミニウム板金等の金属からなる前カバー４及び後カバー６で構成され、前カバー４には、撮影窓８、プロジェクタ投映窓１０、フラッシュ光が射出されるフラッシュ窓１２が設けられている。
【００１０】
また、筐体３の上部には、電源スイッチ１４、レリーズ動作を指示するシャッタボタン１６、カメラ撮影を行う撮影モードとプロジェクタ投映を行うプロジェクタモードとを切り替えるモード切替ボタン１８、プロジェクタ投映時の投映画像のピント調整を行うための操作レバーであるプロジェクタフォーカスレバー２０等が設けられている。
【００１１】
図２は、カメラ２の背面図である。後カバー６には、撮影画像の表示、再生等を行う液晶ディスプレイ２２、液晶ディスプレイ２２に表示された撮影条件等を選択するマルチセレクタ等を備える操作ボタン２４が設けられている。
【００１２】
図３は、筐体３の内部に設けられている各ユニットの配置位置を概略的に示した正面図である。図３に示すように、筐体３の略中央には、投映用画像を投映するための投映光学系等（図示せず）と投映用光源であるＬＥＤ３２を有するプロジェクタユニット３０が配置され、プロジェクタユニット３０のＬＥＤ３２の上部近傍には、温度センサ４０及びサーミスタ４１が配置されている。また、温度センサ４０及びサーミスタ４１の右側近傍には、被写体を撮像するための撮影光学系や撮像素子等（図示せず）を備える撮像ユニット５０が配置され、プロジェクタユニット３０の左側には、プロジェクタユニット３０及び撮像ユニット５０に電力を供給する電池を収容する電池室６０が配置されている。
【００１３】
図４は、図３のＡ−Ａ断面図である。図４に示すように、プロジェクタユニット３０におけるＬＥＤ３２、温度センサ４０及びサーミスタ４１は、前カバー４の内面に略密着するように配置されており、温度センサ４０及びサーミスタ４１はＬＥＤ３２からの熱が伝達された前カバー４の内面温度を検出する。
【００１４】
次に、図５を参照して、カメラ２のシステム構成について説明する。同図に示すように、カメラ２は、液晶ディスプレイ２２、上述したプロジェクタユニット３０、温度センサ４０、サーミスタ４１、撮像ユニット５０、電源スイッチ１４、シャッタボタン１６、モード切替ボタン１８、操作ボタン２４等を含む操作部７０、画像データを記憶するＳＤカード等で構成されたメモリカード８０、及び制御部１００を含んで構成されている。液晶ディスプレイ２２、温度センサ４０、サーミスタ４１、操作部７０、メモリカード８０については上述したため、以下、これら以外の各部について説明する。
【００１５】
プロジェクタユニット３０は、液晶パネル３１、ＬＥＤ３２、投映光学系３３、投映制御部３４を含んで構成される。液晶パネル３１は、ＬＣＯＳ等の反射型液晶パネルであり、投映用光学像の表示を行う。ＬＥＤ３２は、発光ダイオードで構成された投映用の光源であり、投映光学系３３は、投映用画像の光学像を投映する投映レンズを含んで構成されている。
【００１６】
投映制御部３４は、制御部１００からの投映指示に応じて、所定の発光量でＬＥＤ３２を点灯させ、投映用画像データに応じて、液晶パネル３１に投映用画像を表示し、投映光学系３３を介して、投映用画像の光学像をプロジェクタ投映窓１０から投映する。
【００１７】
また、撮像ユニット５０は、撮像素子５１、撮影光学系５２、レンズ駆動部５３、撮像制御部５４を含んで構成される。撮像素子５１は、ＣＣＤやＣＭＯＳで構成され、被写体を撮像して撮像信号を出力する。撮影光学系５２は、フォーカスレンズやズームレンズを含んで構成され、レンズ駆動部５３は、撮影制御部５４からのフォーカス調節指示やズーム調節指示に基づいて、撮影光学系５２の所定のレンズを光軸方向に駆動させる。撮像制御部５４は、制御部１００からの指示に応じて、レンズ駆動部５３により撮影光学系５２を駆動し、撮像素子５１から出力された撮像信号に対して画像処理を行い、画像処理後の画像データを制御部１００に送出する。
【００１８】
制御部１００は、ＲＯＭ及びＲＡＭ等のメモリを含むＣＰＵで構成されており、制御部１００は、ＲＯＭに記憶されているプログラムを実行することにより各部を制御する。
【００１９】
次に、図６に示すフローチャートを参照して、実施の形態に係るカメラ２における投映処理について説明する。まず、制御部１００は、操作者が操作部７０を操作することにより、カメラ２の電源がオンされたことを確認すると、温度センサ４０により検出された前カバー４の温度が目標温度以上であるか否かを判別する（ステップＳ１０）。検出された温度が目標温度以上でない場合には（ステップＳ１０、Ｎｏ）、操作者が操作部７０を操作して、省エネモードを設定しているか否かを判別する（ステップＳ１１）。なお、上述のステップＳ１０において、検出された温度が目標温度以上である場合には（ステップＳ１０、Ｙｅｓ）、カメラ２の電源をオフする（ステップＳ２１）。省エネモードに設定されていない場合には（ステップＳ１１、Ｎｏ）、投映制御部３４により通常時に用いる電流値である通常電流値をＬＥＤ３２に供給し、投映を開始する（ステップＳ１２）。次に、再度温度センサ４０により検出された前カバー４の温度が目標温度以上であるか否かを判別する（ステップＳ１３）。検出された温度が目標温度以上である場合には（ステップＳ１３、Ｙｅｓ）、温度制御を開始する（ステップＳ１４）。即ち、ＰＷＭ制御によりＬＥＤ３２に供給する電流値を変更する。例えば、検出された温度が目標温度より１℃高いときは１パーセント、２℃高いときは２パーセント、３℃高いときは３パーセント通常電流値よりも下げた電流値をＬＥＤ３２に供給する。一方、前カバー４の温度が目標温度以上でない場合には、通常電流値による投映を継続する。
【００２０】
次に制御部１００は、温度センサ４０により検出された前カバー４の温度が目標温度よりも高い上限温度以上であるか否かを判別する（ステップＳ１５）。検出された温度が上限温度以上でない場合には（ステップＳ１５、Ｎｏ）、再度温度センサ４０により検出された前カバー４の温度が目標温度以上であるか否かを判別する（ステップＳ１６）。ここで、検出された温度が目標温度以上である場合には（ステップＳ１６、Ｙｅｓ）、ステップＳ１４に戻り、温度制御を継続する。一方、検出された温度が目標温度以上でない場合には（ステップＳ１６、Ｎｏ）、電池室６０に収容された電池の電圧を検出し、所定の電圧以下であるか否かを判別する（ステップＳ１７）。検出された電圧が所定の電圧以下である場合には（ステップＳ１７、Ｙｅｓ）、最低電流値をＬＥＤ３２に供給し、電池室６０に収容された電池の電圧が所定の電圧以下であることを示す半電池アイコンを表示して投映を行う（ステップＳ１８）。一方、検出された電圧が所定の電圧以下でない場合には（ステップＳ１７、Ｎｏ）、ステップＳ１２に戻り投映を継続して行う。
【００２１】
次に、電池室６０に収容された電池の残量の有無を判別し（ステップＳ１９）、電池の残量がないと判別した場合には（ステップＳ１９、Ｙｅｓ）、カメラ２の電源をオフすることを示す警告のメッセージを液晶ディスプレイ２２に表示し（ステップＳ２０）、カメラ２の電源をオフする（ステップＳ２１）。そして、このフローチャートにおける処理を終了する。一方、電池室６０に収容された電池の残量があると判別した場合には（ステップＳ１９、Ｙｅｓ）、ステップＳ１５に戻る。また、上述のステップＳ１５において、検出された温度が上限温度以上である場合には（ステップＳ１５、Ｙｅｓ）、カメラ２の電源をオフすることを示す警告のメッセージを液晶ディスプレイ２２に表示し（ステップＳ２２）、カメラ２の電源をオフする（ステップＳ２３）。そして、このフローチャートにおける処理を終了する。
【００２２】
また、上述のステップＳ１１において、省エネモードが設定させている場合には（ステップＳ１１、Ｙｅｓ）、制御部１００は投映時にカメラ２の筐体の温度が熱平衡状態となる所定の電流値である最低電流値をＬＥＤ３２に供給し、投映を開始する（ステップＳ２４）。そして、温度センサ４０により検出された前カバー４の温度が上限温度以上であるか否かを判別する（ステップＳ２５）。検出された温度が上限温度以上でない場合には（ステップＳ２５、Ｎｏ）、電池室６０に収容された電池の残量の有無を判別する（ステップＳ２６）。電池の残量がないと判別した場合には（ステップＳ２６、Ｙｅｓ）、カメラ２の電源をオフすることを示す警告のメッセージを液晶ディスプレイ２２に表示し（ステップＳ２０）、カメラ２の電源をオフする（ステップＳ２１）。一方、電池の残量があると判別した場合には（ステップＳ２６、Ｎｏ）、ステップＳ２４に戻り投映を継続して行う。
【００２３】
また、上述のステップＳ２５において、検出された温度が上限温度以上である場合には（ステップＳ２５、Ｙｅｓ）、カメラ２の電源をオフすることを示す警告のメッセージを液晶ディスプレイ２２に表示し（ステップＳ２２）、カメラ２の電源をオフする（ステップＳ２３）。そして、このフローチャートにおける処理を終了する。
【００２４】
また、上述の実施の形態において、制御部１００は温度センサ４０により検出された温度に基づき温度センサ４０が異常と判別すると、温度センサ４０に代えてサーミスタ４１を用いる。ここで、図７に示すフローチャートを参照して、本発明の実施の形態に係るカメラ２においてサーミスタ４１を用いた電源制御について説明する。制御部１００は、温度センサ４０が異常であると判別すると、サーミスタ４１により検出された前カバー４の温度が目標温度よりも高いサーミスタ上限温度以上であるか否かを判別する（ステップＳ３０）。検出された温度がサーミスタ上限温度以上である場合には（ステップＳ３０、Ｙｅｓ）、カメラ２の電源をオフすることを示す警告のメッセージを液晶ディスプレイ２２に表示し（ステップＳ３１）、カメラ２の電源をオフする（ステップＳ３２）。そして、このフローチャートにおける処理を終了する。
【００２５】
この実施の形態に係るカメラによれば、温度センサにより検出した温度に基づいて、温度制御を行いつつ電源をオフする制御を行うことができるため、筐体内の各部の機能の信頼性を確保すべく、筐体内の温度上昇を抑えることができる。
【００２６】
なお、上述の実施の形態において、温度センサ４０及びサーミスタ４１が共に異常であると判別した場合には、カメラ２本体の電源をオフしてもよい。
【符号の説明】
【００２７】
２…カメラ、４…前カバー、６…後カバー、８…撮影窓、１０…プロジェクタ投映窓、１８…モード切替ボタン、２２…液晶ディスプレイ、３０…プロジェクタユニット、３１…液晶パネル、３２…ＬＥＤ、３３…投映光学系、３４…投映制御部、４０…温度センサ、４１…サーミスタ、５０…撮像ユニット、５１…撮像素子、５２…撮影光学系、５３…レンズ駆動部、５４…撮像制御部、１００…制御部
【図１】
0005387190.tif 000002
【図２】
0005387190.tif 000003
【図３】
0005387190.tif 000004
【図４】
0005387190.tif 000005
【図５】
0005387190.tif 000006
【図６】
0005387190.tif 000007
【図７】
0005387190.tif 000008